(57)【要約】【課題】  通常使用状態及び遠隔操作状態間を適宜切り換えて双方の状態を共存させることにある。【解決手段】  アダプタ本体１０１は、ＰＣ１０２とユーザインタフェース（１０３、１０４）とを接続する第１の接続手段と、ユーザインタフェース（１０３、１０４）とＬＡＮとを接続する第２の接続手段とを具備し、第１の接続手段及び第２の接続手段の何れか一方を有効な接続状態とする。【選択図】  図１
2006072849.tif 000002
【特許請求の範囲】
【請求項１】
情報処理装置と、前記情報処理装置からの出力情報の出力及び前記情報処理装置への入力情報の入力が可能な入出力手段とを接続する第１の接続手段と、
前記入出力手段と通信ネットワークとを接続する第２の接続手段と、
前記第１の接続手段及び前記第２の接続手段の何れか一方を有効な接続状態とする接続制御手段とを有することを特徴とする通信制御装置。
【請求項２】
前記入出力手段からの所定の入力情報を検出する第１の検出手段を更に有し、
前記制御手段は、前記第１の検出手段により前記所定の入力情報が検出された場合、前記第１の接続手段と前記第２の接続手段との間で有効な接続状態とする接続手段を切り換えることを特徴とする請求項１に記載の通信制御装置。
【請求項３】
前記通信ネットワークからの所定の受信情報を検出する第２の検出手段を更に有し、
前記制御手段は、前記第２の検出手段により前記所定の受信情報が検出された場合、前記第１の接続手段と前記第２の接続手段との間で有効な接続状態とする接続手段を切り換えることを特徴とする請求項１又は２に記載の通信制御装置。
【請求項４】
情報出力が可能な出力手段に対する情報の入力元を、情報処理装置及び通信ネットワーク間で切り換える第１の切り換え手段と、
情報入力が可能な入力手段からの入力情報の出力先を、前記情報処理装置及び前記通信ネットワーク間で切り換える第２の切り換え手段と、
前記第１の切り換え手段及び前記第２の切り換え手段を制御する制御手段とを有することを特徴とする通信制御装置。
【請求項５】
前記入力手段からの所定の入力情報を検出する検出手段を更に有し、
前記制御手段は、前記検出手段により前記所定の入力情報が検出された場合、前記第１の切り換え手段によって前記出力手段に対する情報の入力元を前記通信ネットワークに切り換えさせるとともに、前記第２の切り換え手段によって前記入力手段からの入力情報の出力先を前記通信ネットワークに切り換えさせることを特徴とする請求項４に記載の通信制御装置。
【請求項６】
情報処理装置からの出力情報の出力先を、情報出力が可能な出力手段及び通信ネットワーク間で切り換える第１の切り換え手段と、
前記情報処理装置への入力情報の入力元を、情報入力が可能な入力手段及び前記通信ネットワーク間で切り換える第２の切り換え手段と、
前記第１の切り換え手段及び前記第２の切り換え手段を制御する制御手段とを有することを特徴とする通信制御装置。
【請求項７】
前記通信ネットワークからの所定の受信情報を検出する検出手段を更に有し、
前記制御手段は、前記検出手段により前記所定の受信情報が検出された場合、前記第１の切り換え手段によって前記情報処理装置からの出力情報の出力先を前記通信ネットワークに切り換えさせるとともに、前記第２の切り換え手段によって前記情報処理装置への入力情報の入力元を前記通信ネットワークに切り換えさせることを特徴とする請求項６に記載の通信制御装置。
【請求項８】
情報処理装置と、前記情報処理装置からの出力情報の出力及び前記情報処理装置への入力情報の入力が可能な入出力手段とを接続する第１の接続手段と、前記入出力手段と通信ネットワークとを接続する第２の接続手段とを有する通信制御装置による通信制御方法であって、
前記第１の接続手段及び前記第２の接続手段の何れか一方を有効な接続状態とする接続制御ステップを含むことを特徴とする通信制御方法。
【請求項９】
情報出力が可能な出力手段に対する情報の入力元を、情報処理装置及び通信ネットワーク間で切り換える第１の切り換え手段と、情報入力が可能な入力手段からの入力情報の出力先を、前記情報処理装置及び前記通信ネットワーク間で切り換える第２の切り換え手段とを有する通信制御装置による通信制御方法であって、
前記第１の切り換え手段及び前記第２の切り換え手段を制御する制御ステップを含むことを特徴とする通信制御方法。
【請求項１０】
情報処理装置からの出力情報の出力先を、情報出力が可能な出力手段及び通信ネットワーク間で切り換える第１の切り換え手段と、前記情報処理装置への入力情報の入力元を、情報入力が可能な入力手段及び前記通信ネットワーク間で切り換える第２の切り換え手段とを有する通信制御装置による通信制御方法であって、
前記第１の切り換え手段及び前記第２の切り換え手段を制御する制御ステップを含むことを特徴とする通信制御方法。
【請求項１１】
請求項８乃至１０の何れか１項に記載の通信制御方法をコンピュータに実行させるためのプログラム。
【請求項１２】
請求項１１に記載のプログラムを記録したコンピュータ読み取り可能な記録媒体。
【発明の詳細な説明】
【技術分野】
【０００１】
本発明は、例えば他の情報処理装置に対する通信ネットワークを介した遠隔操作を可能とするための通信制御装置及び通信制御方法に関するものである。
【背景技術】
【０００２】
通常、ユーザインタフェースは、ケーブルによりコンピュータ本体に直接接続されているため、そのコンピュータ本体とユーザインタフェースを繋ぐケーブルの長さの制限を受けてしまい、操作する場所の制約を受けてしまっていた。そのために、例えば、コンピュータシステムに障害が発生すると、そのたびに保守要員が現地に行って対処する必要があった。
【０００３】
また、会議中に自席のコンピュータにある資料を取り出したくなっても、会議室のコンピュータより自席のコンピュータにアクセスできなかった。
【０００４】
更には、コンピュータ内のデータのセキュリティのために、データはサーバシステムにのみ蓄積し、操作端末にはデータを記録せず、操作端末からサーバシステムにアクセスして操作したいといった要望もあった。
【０００５】
上述の要望に応えるために、２つのコンピュータ間で遠隔操作するために、双方に遠隔操作運用ソフトウェアをインストールして行う方法もあったが、ソフトウェアをインストールすることによって、マルチタスク処理によるオーバーヘッドや、リソース資源（ＣＰＵ、メモリ、ハードディスク、等）の使用によるパフォーマンス低下、更には実行中にハングアップする危険性など、様々な問題があった。
【０００６】
そこで、従来からハードウェアによりコンピュータシステムを遠隔操作する方法がいくつか提案されている。例えば、特許文献１では、マスタ側、リモート側にそれぞれ信号生成送出手段と信号受信再生手段とを具備した計算機システム遠隔操作装置が開示されている。同様に、特許文献２では、送信側ネットワークＩ／Ｏボックス装置と受信側ネットワークＩ／Ｏボックス装置とをネットワーク回線で接続した遠隔操作システムが開示されている。
【０００７】
これらの遠隔操作システムでは、リモート側（被操作側）とマスタ側（遠隔操作側）で専用の装置が必要であり、しかも別々のものであるので、マスタ側（遠隔操作側）はある程度限られるが、リモート側（被操作側）は同一ネットワーク内のほとんどのコンピュータが対象となる可能性があり、そのために、予め全てのコンピュータにリモート側（被操作側）装置を用意するのは非効率的である。
【０００８】
従って、現実的には、リモート側（被操作側）、マスタ側（遠隔操作側）ともに専用の装置をいくつか用意し、遠隔操作する際には、それぞれの側のコンピュータシステムのコンピュータ本体とユーザインタフェースを取り外し、それぞれに専用の装置を接続し、回線に接続する必要があり、遠隔操作用の装置を接続するとコンピュータが遠隔操作専用にしか使用できないという問題があった。当然のこととして、遠隔操作終了後には、再びコンピュータとユーザインタフェースを接続し直す必要もある。
【０００９】
特許文献３では、上述の問題点を解決するものとして、計算機内に表示制御機能部等を有するリモートディスプレイコントローラを内蔵したホストコンピュータと外部通信回線を介して接続される遠隔操作端末とを有する遠隔操作システムが開示されている。
【００１０】
しかしながら、このシステムでも、結局はコンピュータ内にリモートディスプレイコントローラが必要であり、コンピュータの電源を落とさずに遠隔操作できるようにするためには、予めネットワーク上の全てのコンピュータにリモートディスプレイコントローラを内蔵しておく必要がある。
【００１１】
一方、特許文献４では、コンピュータとユーザインタフェースとの間に制御切換装置を接続し、更に、制御切換装置同士を通信回線で接続し、制御切換装置を切り換えることで、通常使用も遠隔操作も可能とする、パソコンリモート操作システムを開示し、上述の問題点を解決している。
【００１２】
しかしながら、このパソコンリモート操作システムでは、遠隔操作側、被遠隔操作側共に、制御切換装置を切り換える必要があり、どちらか一方が切り換えていなかったり、切り換え位置を間違えると遠隔操作できなくなってしまうという煩わしさがある。また、被遠隔操作中には、ユーザインタフェースは何の操作もできなくなってしまう。更に、切換制御装置同士は、専用の通信回線で接続されているので、他のコンピュータを遠隔操作する際には、通信回線を接続し直す必要がある。
【００１３】
【特許文献１】特開平３−２７６３４２号公報
【特許文献２】特開平８−２３５０９３号公報
【特許文献３】特開２００１−１５９９４４号公報
【特許文献４】特開平４−２５６１４９号公報
【発明の開示】
【発明が解決しようとする課題】
【００１４】
上述したように、従来の遠隔制御装置は、コンピュータとユーザインタフェースを分離して遠隔操作する形態となっているため、遠隔操作時に、切り離されたコンピュータ、もしくはユーザインタフェースは使用することができず、被遠隔操作側のコンピュータの使用者がコンピュータで作業するには、別のコンピュータに移動するなどの煩わしさがあった。
【００１５】
また、従来の遠隔制御装置では、通信回線は遠隔操作のための回線であり、コンピュータ同士をネットワークに接続するためには、通常のＬＡＮを別に配線しておく必要があった。
【００１６】
そこで、本発明の目的は、通常使用状態及び遠隔操作状態間を適宜切り換えて双方の状態を共存させる通信制御装置及び通信制御方法を提供することにある。
【課題を解決するための手段】
【００１７】
本発明の通信制御装置の第１の態様は、情報処理装置と、前記情報処理装置からの出力情報の出力及び前記情報処理装置への入力情報の入力が可能な入出力手段とを接続する第１の接続手段と、前記入出力手段と通信ネットワークとを接続する第２の接続手段と、前記第１の接続手段及び前記第２の接続手段の何れか一方を有効な接続状態とする接続制御手段とを有することを特徴とする。
【００１８】
本発明の通信制御装置の第２の態様は、情報出力が可能な出力手段に対する情報の入力元を、情報処理装置及び通信ネットワーク間で切り換える第１の切り換え手段と、情報入力が可能な入力手段からの入力情報の出力先を、前記情報処理装置及び前記通信ネットワーク間で切り換える第２の切り換え手段と、前記第１の切り換え手段及び前記第２の切り換え手段を制御する制御手段とを有することを特徴とする。
【００１９】
本発明の通信制御装置の第３の態様は、情報処理装置からの出力情報の出力先を、情報出力が可能な出力手段及び通信ネットワーク間で切り換える第１の切り換え手段と、前記情報処理装置への入力情報の入力元を、情報入力が可能な入力手段及び前記通信ネットワーク間で切り換える第２の切り換え手段と、前記第１の切り換え手段及び前記第２の切り換え手段を制御する制御手段とを有することを特徴とする。
【００２０】
本発明の通信制御方法の第１の態様は、情報処理装置と、前記情報処理装置からの出力情報の出力及び前記情報処理装置への入力情報の入力が可能な入出力手段とを接続する第１の接続手段と、前記入出力手段と通信ネットワークとを接続する第２の接続手段とを有する通信制御装置による通信制御方法であって、前記第１の接続手段及び前記第２の接続手段の何れか一方を有効な接続状態とする接続制御ステップを含むことを特徴とする。
【００２１】
本発明の通信制御方法の第２の態様は、情報出力が可能な出力手段に対する情報の入力元を、情報処理装置及び通信ネットワーク間で切り換える第１の切り換え手段と、情報入力が可能な入力手段からの入力情報の出力先を、前記情報処理装置及び前記通信ネットワーク間で切り換える第２の切り換え手段とを有する通信制御装置による通信制御方法であって、前記第１の切り換え手段及び前記第２の切り換え手段を制御する制御ステップを含むことを特徴とする。
【００２２】
本発明の通信制御方法の第３の態様は、情報処理装置からの出力情報の出力先を、情報出力が可能な出力手段及び通信ネットワーク間で切り換える第１の切り換え手段と、前記情報処理装置への入力情報の入力元を、情報入力が可能な入力手段及び前記通信ネットワーク間で切り換える第２の切り換え手段とを有する通信制御装置による通信制御方法であって、前記第１の切り換え手段及び前記第２の切り換え手段を制御する制御ステップを含むことを特徴とする。
【００２３】
本発明のプログラムは、前記本発明の通信制御方法の第１の態様乃至第３の態様の何れか１つをコンピュータに実行させることを特徴とする。
【００２４】
本発明のコンピュータ読み取り可能な記録媒体は、前記プログラムを記録したことを特徴とする。
【発明の効果】
【００２５】
本発明によれば、情報処理装置と入出力手段とを接続する第１の接続手段と、入出力手段と通信ネットワークとを接続する第２の接続手段とを有し、第１の接続手段及び第２の接続手段の何れか一方を有効な接続状態とし、第１の接続手段が有効な接続状態である場合の通常使用状態、及び、第２の接続手段が有効な接続状態である場合の遠隔操作状態間を適宜切り換えて双方の状態を共存させることが可能となる。
【発明を実施するための最良の形態】
【００２６】
以下、本発明を適用した好適な実施形態を、添付図面を参照しながら詳細に説明する。
【００２７】
図１は、本発明の一実施形態に係るネットワークアダプタ（以下、アダプタと称す）の構成例とともに、ネットワーク端末であるパーソナルコンピュータ（以下、ＰＣと称す）本体、ユーザインタフェースであるキーボード、マウス及びディスプレイの接続関係を示す図である。
【００２８】
図１において、１０１はアダプタ本体、１０２はＰＣ本体、１０３はディスプレイ、１０４はキーボード、１０５はマウスであり、通常ネットワークに接続しないで使用するときには、ＰＣ本体１０２に、ディスプレイ１０３、キーボード１０４、マウス１０５を直接接続して使用する。
【００２９】
また、１０６はディスプレイ１０３と信号の送受信を行うディスプレイＩ／Ｆ部、１０７はＰＣ本体１０２とディスプレイ信号（ここではＤＶＩインタフェースを使用することとし、以下、ＤＶＩ信号と称することもある）の送受信を行う第一入出力部、１０８はディスプレイ信号の送受信方向を切り換えるための第一切換部、１０９はディスプレイ信号をネットワークに送出するフォーマットに変換する第一パケット組み立て部、１１０はアダプタ１０１全体の制御を行う制御部、１１１はネットワークから受信したパケットデータをＰＣ用のデータに変換するパケット分解部、１１２はネットワークとアダプタとの間で送受信するパケットデータを蓄積しておくためのパケットバッファ部、１１３はネットワークとのインタフェースを行うネットワークインタフェース部、１１４はキーボード１０４、マウス１０５の信号（ここでは、ＵＳＢインタフェースを使用することとし、以下、ＵＳＢ信号と称することもある）をＰＣ本体１０２と送受信する第二入出力部、１１５はＵＳＢ信号の送受信方向を切り換えるための第二切換部、１１６はＵＳＢ信号をネットワークに送出するフォーマットに変換する第二パケット組み立て部、１１７はキーボード１０４やマウス１０５などの周辺機器との信号を送受信する周辺機器Ｉ／Ｆ部、１１８は制御部１１０と他の各ブロックとの間で制御信号を送受信するための制御バスである。
【００３０】
尚、制御部１１０は、不図示のＣＰＵ、ＲＯＭ、ＲＡＭ、その他周辺回路で構成されるものとするが、他のブロックについても、公知の技術で構成可能なことは明白であるので、ブロックごとの詳細な説明は省略する。
【００３１】
更に、アダプタ内の電源線、クロック信号線、等については、以下の説明で特に必要ないため省略する。
【００３２】
電源投入後の初期化手順については、公知の技術であるので省略するとし、アダプタ、ＰＣ本体、ディスプレイの電源は投入され、キーボード、マウス、ディスプレイは既にＰＣ本体に接続された状態にあるものとして説明する。
【００３３】
また、ＰＣ本体のネットワークインタフェースはアダプタを介してネットワークに接続されている状態にあるものとする。ここで、上記電源投入後の初期状態を、ローカルＰＣ状態と称することとする。
【００３４】
図１に沿って、ローカルＰＣ状態での動作について説明する。
ＰＣ本体１０２からのディスプレイ信号は第一入出力部１０７を介し、第一切換部１０８でディスプレイＩ／Ｆ部１０６に出力され、ディスプレイＩ／Ｆ部１０６を介してディスプレイ１０３に送信される。一方、ディスプレイ１０３からの信号はディスプレイＩ／Ｆ部１０６を介し、第一切換部１０８で第一入出力部１０７に出力され、第一入出力部１０７を介してＰＣ本体１０２に送信される。
【００３５】
ＰＣ本体１０２のキーボード、マウスの信号は第二入出力部１１４を介し、第二切換部１１５で周辺機器Ｉ／Ｆ部１１７に接続され、周辺機器Ｉ／Ｆ部１１７を介し、それぞれキーボード１０４、マウス１０５に送信される。一方、キーボード１０４、マウス１０５からの信号は、周辺機器Ｉ／Ｆ部１１７を介し、第二切換部１１５で第二入出力部１１４に出力され、第二入出力部１１４を介してＰＣ本体１０２に送信される。
【００３６】
また、ＰＣ本体１０２のネットワークとの接続は、パケットバッファ部１１２、ネットワークインタフェース部１１３を介してＬＡＮに接続している。即ち、このローカルＰＣ状態では、一般的なネットワーク端末として動作可能である。
【００３７】
図２は、ＰＣ環境が、アダプタを介してネットワークに接続され、それぞれがネットワーク端末として動作している様子を示している。ここで、ネットワークはイーサネット（登録商標）を想定し、プロトコルはＴＣＰ／ＩＰを使用することとして説明するが、イーサネット（登録商標）、ＴＣＰ／ＩＰともに既に実現されている技術なのでここでの説明は省略する。
【００３８】
また、パケットのフォーマットについては、アダプタ間で予めペイロード内のフォーマットを決めておけばよく、特定する必要はないので、そのフォーマットについては説明を省略する。
【００３９】
ここで、図２のＡの使用者が同図ＣのＰＣ本体１０２ｃを遠隔操作する場合の動作について、図３以降のフローチャートに沿って説明する。尚、Ａ〜Ｃの内部構成は同一であり、図１の構成となっているので、Ａ〜Ｃの内部構成夫々については図１の符号を用いて１０１ａ〜１１８ａ、１０１ｂ〜１１８ｂ、１０１ｃ〜１１８ｃ、１０１ｄ〜１１８ｄとして説明する。
【００４０】
まず、図２のＡ、即ち遠隔操作する側の動作について説明する。
ローカルＰＣ状態での待機状態とは、ここではＰＣを通常に使用している状態であり、アダプタ自体に必要のない入力情報についてはそのままＰＣ本体に送信し、ＰＣからの出力情報もアダプタに必要ない情報はそのままユーザインタフェース（周辺装置）に送信しているものとする。
【００４１】
キーボード１０４ａ、マウス１０５ａからの信号は周辺機器Ｉ／Ｆ部１１７ａを介し、第二切換部１１５ａで第二入出力部１１４ａに接続され、ＰＣ本体１０２ａに入力されているが、第二切換部１１５ａでは常にその信号を制御部１１０ａにも送信し、制御部１１０ａではキーボード１０４ａ、マウス１０５ａからの入力信号を常に監視している（Ｓ３０１）。
【００４２】
Ｓ３０１でキーボード１０４ａからキー入力がなければ、ネットワークから遠隔操作要求パケットを受信したかを監視し（Ｓ３１０）、遠隔操作要求パケットを受信しなければ待機状態に戻る。一方、Ｓ３１０で遠隔操作要求パケットを受信したときは、後述する図７のＳ７０３に遷移する。
【００４３】
Ｓ３０１で、キーボード１０４ａからキー入力があると、特定の入力信号としての画面切り換え操作、例えば、Ctrl、Alt、の２つのキーを押しながら、BackSpaceキーが押されたかどうかを監視し（Ｓ３０２）、画面切り換え操作であれば、制御部１１０ａは、第一切換部１０８ａに第一入出力部１０７ａからのディスプレイ信号を切り離させ、制御部１１０ａからの信号をディスプレイＩ／Ｆ部１０６ａに出力するように切り換える。また、第二切換部１１５ａには、周辺機器Ｉ／Ｆ部１１７ａを介して受信したキーボード１０４ａ、マウス１０５ａからの信号を第二入出力部１１４ａに出力せず、制御部１１０ａのみに送信するように切り換えさせる（Ｓ３０３）。
【００４４】
第一切換部１０８ａ、第二切換部１１５ａでの切り換え終了後、制御部１１０ａは第一切換部１０８ａ、ディスプレイＩ／Ｆ部１０６ａを介して、ディスプレイ１０３ａに遠隔操作するＰＣ本体の選択画面を表示し（Ｓ３０４）、ＰＣ指定入力待ちに遷移する。
【００４５】
このとき、遠隔操作するＰＣ本体については、キーボード１０４ａ、マウス１０５ａから予め制御部１１０ａ内のメモリに設定しておくことも可能であり、また、ネットワーク上の端末を検索することでも可能である。
【００４６】
Ｓ３０２で、入力されたキーが画面切り換え操作でない場合は、そのまま入力された信号をＰＣ本体１０２ａに送出する（Ｓ３１１）。
【００４７】
ＰＣ指定入力待ちでは、キーボード１０４ａからの入力信号を監視し（Ｓ３０５）、キー入力があるとEscキー、Enterキーか、それ以外かを判断し（Ｓ３０６）、Escキーの時は遠隔操作中断と判断し、制御部１１０ａは第一切換部１０８ａ、第二切換部１１５ａにそれぞれ切り換え指示を出し（Ｓ３０７）、ローカルＰＣ状態に戻る。
【００４８】
Ｓ３０６で、Enterキーが入力されたときには、制御部１１０ａはＰＣ指定終了と判断し、それまでキー入力された内容、例えばＩＰアドレスに基づいて、ネットワーク上に該当するＰＣが存在するかどうかを探索するためのパケットを、パケットバッファ部１１２ａ内の送信バッファに書き込み、パケットバッファ部１１２ａはネットワークインタフェース部１１３ａに送信可能になったときに探索パケットを送信し、ネットワーク上に送信し（Ｓ３０８）、応答なし検出用のタイマをスタートし（Ｓ３０９）、ＰＣ応答待ちに遷移する。
【００４９】
Ｓ３０６で、入力されたキーがEscキー、Enterキーのいずれでもない場合、入力されたキーを制御部１１０ａ内のメモリに蓄積しておき（Ｓ３１２）、上述のように、Enterキーが入力されたときに処理する。
【００５０】
次に、ＰＣ応答待ちでの動作について、図４に沿って説明する。
ＰＣ応答待ちでは、探索したＰＣからの応答を待ち（Ｓ４０１）、ＰＣからの応答があれば、制御部１１０ａからパケットバッファ部１１２ａ、ネットワークインタフェース部１１３ａを介してネットワーク上の応答してきたＰＣに対し特定のコマンドとしての遠隔操作要求パケットを送信し（Ｓ４０２）、新たに応答なし検出用のタイマをスタートし（Ｓ４０３）、遠隔操作応答待に遷移する。尚、ＰＣを探索する技術としては、イーサネット（登録商標）におけるＡＲＰ（Ａｄｄｒｅｓｓ Ｒｅｓｏｌｕｔｉｏｎ Ｐｒｏｔｏｃｏｌ）を利用すれば可能である。
【００５１】
Ｓ４０１でＰＣからの応答がない場合は、Ｓ３０９でスタートしたタイマを計時しタイマ値が満了したかを判断し（Ｓ４０４）、タイマ値が満了していなければＳ４０１に戻り、ＰＣからの応答がなくタイマ値が満了したときは、制御部１１０ａから、第一切換部１０８ａを介してディスプレイに１０３ａに「該当ＰＣなし」と表示し（Ｓ４０５）、ＰＣ指定入力待に戻る。
【００５２】
遠隔操作応答待では、ＰＣ応答待ち同様、遠隔操作を要求したＰＣから、遠隔操作応答パケットが返送されてくるのを待ち（Ｓ４０６）、返送された遠隔操作応答パケットを受信すると、ネットワークインタフェース部１１３ａを介し、パケットバッファ部１１２ａ内の受信バッファに蓄積され、蓄積されたことが制御バス１１８ａを介して制御部１１０ａに通知される。
【００５３】
受信パケットが蓄積されたことを通知された制御部１１０ａは、パケットバッファ部１１２ａの受信バッファにその内容を確認し、受信したパケットが遠隔操作応答パケットであることを確認すると（Ｓ４０６）、応答なし検出用タイマを停止し（Ｓ４０７）、第一切換部１０８ａに対し、パケット分解部１１１ａからのディスプレイ信号をディスプレイＩ／Ｆ部１０６ａに出力するように切り換え指示し、また、第二切換部１１５ａに対しては、周辺機器Ｉ／Ｆ部１１７ａを介して受信するキーボード１０４ａ、マウス１０５ａからの信号を第二パケット組み立て部１１６ａに出力するよう切り換え指示し（Ｓ４０８）、遠隔操作初期設定に遷移する。
【００５４】
Ｓ４０６で受信したパケットが遠隔操作応答パケットでないときは、遠隔操作不可パケットかを調べ（Ｓ４０９）、遠隔操作不可パケットであるときは、応答なし検出用タイマを停止し（Ｓ４１０）、制御部１１０ａから、第一切換部１０８ａ、ディスプレイＩ／Ｆ部１０６ａを介してディスプレイ１０３ａに「遠隔操作不可」と表示し（Ｓ４１１）、ＰＣ指定入力待に戻る。
【００５５】
遠隔操作応答待ちでアダプタ１０１ｃからのパケットを受信しない場合は、Ｓ４０３でスタートしたタイマを計時しタイマ値が満了したかを判断し（Ｓ４１２）、タイマ値が満了していなければＳ４０６に戻り、ＰＣからの応答がなくタイマ値が満了したときは、制御部１１０から、第一切換部１０８を介してディスプレイ１０３ａに「遠隔操作応答なし」と表示し（Ｓ４１３）、ＰＣ指定入力待に戻る。
【００５６】
ここで、応答なし検出用のタイマに関しては、制御部１１０ａ内のハードウェアによってタイマを構成することも可能であり、また、ソフトウェア・タイマにすることも可能であり、タイマ値としては、数秒間から数分程度まで、外部から設定により変更とすることも可能である。
【００５７】
次に遠隔操作初期設定での動作について、図５に沿って説明する。
遠隔操作時は、図２のＡのユーザインタフェースで図２のＣのＰＣ本体１０２ｃを操作するため、ＰＣ本体１０２ｃには、図２のＡのユーザインタフェースが直接接続されているように、アダプタ１０１ｃが動作する必要がある。そのため、遠隔操作の初期設定として、ユーザインタフェースがどのようなものかをＰＣ本体１０２ｃに通知する必要がある。
【００５８】
遠隔操作初期設定では、制御部１１０ａが第一切換部１０８ａにディスプレイ情報としてのＥＤＩＤ（登録商標）を読み込ませ、第一切換部１０８ａを介して読み出す（Ｓ５０１）。その読み出したディスプレイ情報を、制御部１１０ａ内のＲＡＭに記憶すると共にパケットにフォーマットしパケットバッファ部１１２ａ内の送信バッファに書き込み、パケットバッファ部１１２ａはネットワークインタフェース部１１３ａに送信可能になったときにディスプレイ情報パケットをアダプタ１０１ｃに対して送信する（Ｓ５０２）。
【００５９】
次に制御部１１０ａは、周辺機器としてのキーボード１０４ａ、マウス１０５ａの情報、例えば、ＵＳＢの転送速度、転送モード、ポーリング間隔等を、周辺機器Ｉ／Ｆ部１１７ａに読み込ませ、第二切換部ａを介して読み出す（Ｓ５０３）。その読み出した周辺機器情報を、制御部１１０ａ内のＲＡＭに記憶すると共に、パケットにフォーマットしパケットバッファ部１１２ａ内の送信バッファに書き込み、パケットバッファ部１１２ａはネットワークインタフェース部１１３ａに送信可能になったときに周辺機器情報パケットをアダプタ１０１ｃに対して送信する（Ｓ５０４）。その後、ＰＣ本体１０２ｃより設定完了パケットの受信を待つ（Ｓ５０５）。
【００６０】
ＰＣ本体１０２ｃから送信された設定完了パケットをネットワークインタフェース部１１３ａが受信すると、パケットバッファ部１１２ａの受信バッファに蓄積され、蓄積されたことが制御バス１１８ａを介して制御部１１０ａに通知される。
【００６１】
受信パケットが蓄積されたことを通知された制御部１１０ａは、パケットバッファ部１１２ａの受信バッファにその内容を確認し、受信したパケットが設定完了パケットであることを確認すると（Ｓ５０５）、遠隔操作モードに遷移する。
【００６２】
次に遠隔モードでの信号の流れを説明する。
遠隔操作モードでは、Ｓ４０８で第一切換部１０８ａと第二切換部１１５ａを切り換えたので、キーボード１０４ａ、マウス１０５ａからの信号は、第二切換部１１５ａから第二パケット組立部１１６ａに送信され、第二パケット組立部１１６ａ内でＩＰパケットのフォーマットに組み立てられ、パケットバッファ部１１２ａ内の送信バッファに蓄積され、順次、ネットワークインタフェース部１１３ａを介しネットワーク上の被遠隔操作ＰＣ本体１０２ｃに送信される。
【００６３】
但し、キーボード１０４ａからの画面切り換え操作を検出する必要があるため、キーボード１０４ａ、マウス１０５ａからの入力信号は、第二切換部１１５ａから制御部１１０ａにも送信される。
【００６４】
一方、被遠隔操作側のＰＣ本体１０２ｃからのディスプレイ信号はアダプタ１０１ｃを介してネットワークに送信され、アダプタ１０１ａで受信する。
【００６５】
ネットワークインタフェース部１１３ａでネットワークから受信したパケットは、パケットバッファ部１１２ａの受信バッファに蓄積され、順次パケット分解部１１１ａに送信される。
【００６６】
パケット分解部１１１ａでは、ＩＰパケットのヘッダを外しペイロードから必要なデータを取り出し、そのデータがディスプレイ信号であれば第一切換部１０８ａに送信し、第一切換部１０８ａよりディスプレイＩ／Ｆ部１０６ａを介してディスプレイ１０３ａに送信される。
【００６７】
このようにして、ネットワーク上の他のＰＣ本体１０２ｃにキーボード１０４ａ、マウス１０５ａからの入力信号を送信し、ＰＣ本体１０２ｃからのディスプレイ信号をディスプレイ１０３ａに送信し表示させることが可能である。
【００６８】
次に、遠隔操作モードにおける動作について、図６に沿って説明する。
前述したように、遠隔操作モードにおいても、制御部１１０ａはキーボード１０４ａからの信号を監視している。キーボード１０４ａからの信号が入力されると（Ｓ６０１）、特定の入力信号としての画面切り換え操作、例えば、Ctrl、Alt、の２つのキーを押しながら、BackSpaceキーが押されたかどうかを判断し（Ｓ６０２）、画面切り換え操作であれば、制御部１１０ａは、第一切換部１０８ａにパケット分解部１１１ａからのディスプレイ信号を切り離させ、制御部１１０ａからの信号をディスプレイＩ／Ｆ部１０６ａを介してディスプレイ１０３ａに出力するように切り換える。また、第二切換部１１５ａには、キーボード１０４ａ、マウス１０５ａからの入力信号を第二パケット組立部１１６ａに出力せず、制御部１１０ａにのみ送信するように切り換える（Ｓ６０３）。
【００６９】
第一切換部１０８ａ、第二切換部１１５ａでの切り換え終了後、制御部１１０ａは第一切換部１０８ａを介して、ディスプレイ１０３ａに、Ｓ３０４と同様に遠隔操作するＰＣ本体の選択画面を表示し（Ｓ６０４）、第二ＰＣ指定入力待ちに遷移する。
【００７０】
このとき、選択可能なＰＣ本体については、キーボード１０４ａ、マウス１０５ａから予め制御部１１０ａ内のメモリに設定しておくことも可能であり、また、ネットワーク上の端末を検索することでも可能である。
【００７１】
Ｓ６０２で、入力されたキーが画面切り換え操作でない場合は、そのまま入力された信号は、第二切換部１１５ａ、第二パケット組立部１１６ａ、パケットバッファ部１１２ａ、ネットワークインタフェース部１１３ａを介してネットワークに送信される（Ｓ６０５）。
【００７２】
第二ＰＣ指定入力待ちでは、キーボード１０４ａからの入力信号を監視し（Ｓ６０６）、キー入力があるとEscキー、Enterキーか、それ以外かを判断し（Ｓ６０７）、Escキーの時は切り換え操作中断と判断し、制御部１１０ａは第一切換部１０８ａ、第二切換部１１５ａにそれぞれ切り換え指示を出し（Ｓ６０８）、遠隔操作モードに戻る。
【００７３】
Ｓ６０６で、Enterキーが入力されたときには、制御部１１０ａはＰＣ指定終了と判断し、まず、ＰＣ本体１０２ｃの遠隔操作を終了するために、遠隔操作終了パケットをパケットバッファ部１１２ａの送信バッファに書き込み、パケットバッファ部１１２ａはネットワークインタフェース部１１３ａに送信可能になったときに探索パケットを送信し、ネットワークインタフェース部１１３ａはネットワーク上に送信し（Ｓ６０９）、ネットワーク上のアダプタ１０１ｃに送信される。
【００７４】
その後、それまでキー入力された内容、例えばＩＰアドレスに基づいて、まず、ローカルＰＣ本体１０２ａが指定されたかどうかを判断し（Ｓ６１０）、ローカルＰＣ本体１０２ａが指定されたときは、制御部１１０ａは第一切換部１０８ａ、第二切換部１１５ａにそれぞれ切り換え指示を出し（Ｓ６１１）、上述したローカルＰＣ状態とし、待機状態に戻る。
【００７５】
Ｓ６１０で、入力指定されたＰＣがローカルＰＣ本体１０２ａ以外の時は、ネットワーク上に該当するＰＣが存在するかどうかを探索するために、図３のＳ３０８に遷移する。
【００７６】
Ｓ６０７で、入力されたキーがEscキー、Enterキーのいずれでもない場合、入力されたキーを制御部１１０ａ内のメモリに蓄積しておき（Ｓ６１２）、上述のように、Enterキーが入力されたときに処理する。
【００７７】
以上は、遠隔操作する側の動作についての説明であるが、次に、図７及び図８に沿って遠隔操作される側の動作について説明する。
【００７８】
待機状態において、制御部１１０ｃはキーボード１０４ｃからのキー入力とネットワークから特定のコマンドとしての遠隔操作要求パケットを受信したかを監視しているのは図３の説明と同じである（Ｓ７０１、Ｓ７０２）。
【００７９】
待機状態で遠隔操作要求パケットを受信したときは、そのときのＰＣ本体１０２ｃの状態により、遠隔操作されることが可能かどうか判断し（Ｓ７０３）、遠隔操作されることができないときは、遠隔操作不可パケットをパケットバッファ部１１２ｃの送信バッファに書き込み、パケットバッファ部１１２ｃはネットワークインタフェース部１１３ｃに送信可能になったときに遠隔操作不可パケットを送信し、ネットワークインタフェース部１１３ｃはネットワーク上に遠隔操作不可パケットを遠隔操作要求パケットを送信したアダプタに対して送信する（Ｓ７０５）。
【００８０】
Ｓ７０３で遠隔操作可能と判断したときは、制御部１１０ｃはパケットバッファ部１１２ｃの送信バッファに遠隔操作応答パケットを書き込み、ネットワークインタフェース部１１３ｃを介して遠隔操作要求パケットに対して送信し（Ｓ７０４）、被遠隔操作初期設定に移行する。
【００８１】
図５の説明で述べたように、遠隔操作時は、図２のＡのユーザインタフェースで図２のＣのＰＣ本体１０２ｃを操作するため、ＰＣ本体１０２ｃには、図２のＡのユーザインタフェースが直接接続されているように、アダプタ１０１ｃが動作する必要がある。そのため、被遠隔操作初期設定として、図２のＡ側のユーザインタフェースの情報をＰＣ本体１０２ｃに通知する必要がある。
【００８２】
アダプタ１０１ｃでは、アダプタ１０１ａからのディスプレイ情報パケットの受信を待ち（図８のＳ８０１）、受信しなければＳ８０３に遷移し、ネットワークインタフェース部１１３ｃがディスプレイ情報パケットを受信すると、パケットバッファ部１１２ｃ内の受信バッファに蓄積され、蓄積されたことが制御バス１１８ｃを介して制御部１１０ｃに通知され、ディスプレイ情報パケットの受信を確認すると（Ｓ８０１）、制御部１１０ｃはディスプレイ情報パケット内のペイロードよりＥＤＩＤ（登録商標）を読み出し、その内容を制御部１１０ｃ内のＲＡＭに記憶すると共に第一切換部１０８を介してディスプレイＩ／Ｆ部１０６ｃに設定する。その後、ＰＣ本体１０２ｃがディスプレイＩ／Ｆ部１０６ｃ内のＥＤＩＤ（登録商標）を読み出すことで、ディスプレイ１０３ａのＥＤＩＤ（登録商標）を認識することができる。
【００８３】
更にアダプタ１０１ｃは、アダプタ１０１ａからの周辺機器情報パケットの受信を待ち（Ｓ８０３）、受信しなければＳ８０５に遷移し、ネットワークインタフェース部１１３ｃが周辺機器情報パケットを受信すると、パケットバッファ部１１２ｃ内の受信バッファに蓄積され、蓄積されたことが制御バス１１８ｃを介して制御部１１０ｃに通知され、周辺機器情報パケットの受信を確認すると（Ｓ８０３）、制御部１１０ｃは周辺機器情報パケット内のペイロードよりキーボード１０４ａ、マウス１０５ａの情報を読み出し、その内容を制御部１１０ｃ内のＲＡＭに記憶すると共に第二切換部１１５ｃを介して周辺機器Ｉ／Ｆ部１１７ｃに設定する（Ｓ８０４）。
【００８４】
その後ＰＣ本体１０２ｃがＵＳＢインタフェースに新たな周辺機器が接続したことを認識し、周辺機器Ｉ／Ｆ部１１７と通信することで、キーボード１０４ａ、マウス１０５ａを認識することができる。
【００８５】
アダプタ１０１ｃでは、図２のＡ側のユーザインタフェースの情報の設定が完了したかを確認し（Ｓ８０５）、完了していなければＳ８０１に戻り、完了していれば制御部１１０ｃは設定完了パケットをパケットバッファ部１１２ｃ内の送信バッファに書き込み、パケットバッファ部１１２ｃはネットワークインタフェース部１１３ｃに送信可能になったときにディスプレイ情報パケットを送信し、ネットワーク上に送信する（Ｓ８０６）。制御部１１０ｃは、第一切換部１０８ｃに第一入出力部１０７ｃからのディスプレイ信号を第一パケット組立部１０９ｃに出力させる。一方、第二切換部１１５ｃにはパケット分解部１１１ｃからのキーボード信号、マウス信号を第二入出力部１１４ｃに出力するよう切り換え指示する（Ｓ８０７）。
【００８６】
第一切換部１０８ｃ及び第二切換部１１５ｃの切り換え後、アダプタ１０１ｃは被遠隔操作モードに遷移する。
【００８７】
アダプタ１０１ａが、Ｓ８０６で送信された設定完了パケットを受信すると、図６の遠隔操作モードで説明したように、図２のＡのユーザインタフェースから、図２のＣのＰＣ本体１０２ｃが遠隔操作可能となる。
【００８８】
被遠隔操作モードでは、遠隔操作している側のアダプタ１０１ａからの遠隔操作終了パケットの受信を待ち（Ｓ８０７）、受信すると、制御部１１０ｃは第一切換部１０８ｃ及び第二切換部１１５ｃにローカルＰＣ状態になるよう切り換え指示し（Ｓ８０８）、待機状態に戻る。
【００８９】
以上のように、図２のＡのユーザインタフェースを使用して、図２のＣのＰＣ本体１０２ｃを遠隔操作し、終了することが可能となる。
【００９０】
ここまでの説明は、図２のＡではユーザインタフェースの動作について、図２のＣではＰＣ本体１０２ｃの動作について説明してきた。即ち、アダプタ１０１ａではユーザインタフェースの状態を管理し、アダプタ１０１ｃではＰＣ本体１０２ｃの状態を管理していたにすぎない。
【００９１】
１台のアダプタで、ユーザインタフェースとＰＣ本体の両方の状態管理を行うことは可能である。それは、アダプタが、ＰＣ本体とユーザインタフェースとネットワークを接続交換するスイッチと考えればよいからである。
【００９２】
このように考えれば、１台のアダプタで、ユーザインタフェースとＰＣ本体とを別々に状態管理を行うことで、例えば、図２のＡのユーザインタフェースで遠隔操作している最中に、図２のＢのユーザインタフェースから図２のＡのＰＣ本体１０２ａを遠隔操作することも可能になる。
【００９３】
同様に、図２のＣのＰＣ本体１０２ｃが遠隔操作されているときに、図２のＣのユーザインタフェースを使用して図２のＤのＰＣ本体１０２ｄを遠隔操作することも可能になることは明らかである。
【００９４】
以上の説明では、説明上必要のない動作については省略したが、上記の説明はあくまで一例を示したものであり、アダプタの構成や、フローチャートは、図示したものに限らないことは言うまでもない。
【００９５】
図１のアダプタの構成の説明では、ＰＣ本体１０２と、ディスプレイ１０３、キーボード１０４、マウス１０５のインタフェースやデータの信号形式は上記説明に限るものではなく、アナログ信号であれば、第一パケット組立部１０９、及び第二パケット組立部１１６にＡ／Ｄ変換器を備えデジタル信号にしてからパケット形式に変換することで実施可能である。
【００９６】
例えば、キーボード、マウスの信号線として、図１ではＰＣ本体１０２から第二入出力部１１４までそれぞれ別の線として２本の線を記載したが、キーボード、マウスのインタフェースをＵＳＢとした場合、１本の信号線で接続し、アダプタの内部もしくは外部にＵＳＢハブ機能を持たせ、そこにキーボード、マウスを接続する構成も可能である。
【００９７】
インタフェースは、ＩＥＥＥ１３９４、ＳＣＳＩ、ＲＳ−２３２Ｃ、ＰＳ／２、その他でも同様に遠隔操作可能なことは明らかである。
【００９８】
Ｓ３０４及びＳ６０４で、ディスプレイ１０３ａに遠隔操作するＰＣ本体の選択画面を表示し、ＩＰアドレスを入力することとしたが、遠隔操作可能なＰＣのアイコンを表示し、ＰＣ指定入力待ちではマウス１０５によって選択させる方法や、その他の方法でもかまわない。
【００９９】
Ｓ３０６でEnterキー入力検出時の、入力誤り時の処理については特に説明していないが、誤りを判断せずそのまま探索する方法でもよく、誤りかどうかの判断、例えばＩＰアドレスとしての範囲外や数字以外の入力であった場合など、エラー処理としてメモリをクリアし、最初から入力し直す、即ち、ＰＣ指定入力待ち初期時に戻るようにしてもかまわない。また、ＩＰアドレスを入力させるのであれば、数字キーしか受け付けないようにしてもかまわない。
【０１００】
Ｓ７０３で遠隔操作されることができないと判断した理由について、動作説明では必要ないため特に説明していないが、一例を挙げると、ＰＣ本体１０２ｃの電源が入ってないときや、電源は入っているが特定のアプリケーションソフトを実行しているときや、他のＰＣのユーザインタフェースから既に遠隔操作されているとき等が考えられるが、これら以外の理由でもかまわないことは言うまでもない。
【０１０１】
また、制御部１１０ｃでＰＣ本体１０２ｃの状態を検出する方法についても動作説明では必要ないため特に説明していないが、ＰＣ本体１０２ｃからのディスプレイ信号や、ＰＣ本体１０２ｃとキーボード１０４ｃ、マウス１０５ｃとの間を流れる信号を監視することで、ＰＣの状態を検出可能であり、その他の方法でもかまわない。
【０１０２】
ローカル状態でＰＣを使用している者が、誤って遠隔操作されないように、アダプタに被遠隔操作禁止スイッチを備えてもよく、キーボード１０４、マウス１０５から設定できるようにしてもよい。
【０１０３】
また、画面切り換え操作後の状態として、ＰＣ指定入力待、及び第二ＰＣ指定入力待に移行するとして説明したが、ここで、アダプタの制御を決めるための各種設定操作へ移行するようにしてもよく、遠隔操作、各種設定など、メニュー画面を表示し、ユーザインタフェースからの入力で選択できるようにしてもよい。
【０１０４】
上記説明では、操作は、ＰＣを操作するキーボード、マウスを使用することとしたが、
アダプタ本体にスイッチや表示器を備え、制御部１０９が検出、制御することとしてもよい。特に、被遠隔操作モード側からの操作で被遠隔操作モードを終了することに関しては説明していないが、遠隔操作モード同様に、キーボード１０４ｃ、マウス１０５ｃからの操作を受け付けて、切断操作を可能にすることや、アダプタ１０１に強制切断スイッチを着けておくことも可能である。
【０１０５】
上記実施形態によれば、通常使用しているコンピュータシステムを遠隔操作する際に、コンピュータとユーザインタフェースとを取り外し、遠隔操作用のアダプタを接続して、回線で接続するという煩わしい作業を行うことなく、通常使用も遠隔操作も簡単な操作で切り換えることが可能となる。
【０１０６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１０７】
この場合、記憶媒体から読み出されたプログラムコード自体が前述した実施形態の機能を実現することになり、プログラムコード自体及びそのプログラムコードを記憶した記憶媒体は本発明を構成することになる。
【０１０８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０９】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【０１１０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０１１１】
【図１】本発明の一実施形態に係るネットワークアダプタ（アダプタ）の構成例とともに、ネットワーク端末であるパーソナルコンピュータ（ＰＣ）本体、ユーザインタフェースであるキーボード、マウス及びディスプレイの接続関係を示す図である。
【図２】ＰＣ環境が、アダプタを介してネットワークに接続され、それぞれがネットワーク端末として動作している様子を示す図である。
【図３】ＰＣ本体を遠隔操作する場合の動作を示すフローチャートである。
【図４】ＰＣ応答待ちでの動作を示すフローチャートである。
【図５】遠隔操作初期設定時の動作を示すフローチャートである。
【図６】遠隔操作モードにおける動作を示すフローチャートである。
【図７】遠隔操作される側の初期設定に至るまでの動作を示すフローチャートである。
【図８】遠隔操作される側の動作を示すフローチャートである。
【符号の説明】
【０１１２】
１０１：アダプタ本体
１０２：ＰＣ本体
１０３：ディスプレイ
１０４：キーボード
１０５：マウス
１０６：ディスプレイＩ／Ｆ部
１０７：第一入出力部
１０８：第一切換部
１０９：第一パケット組み立て部
１１０：制御部
１１１：パケット分解部
１１２：パケットバッファ部
１１３：ネットワークインタフェース部
１１４：第二入出力部
１１５：第二切換部
１１６：第二パケット組み立て部
１１７：周辺機器Ｉ／Ｆ部
１１８：制御バス
【図１】
2006072849.tif 000003
【図２】
2006072849.tif 000004
【図３】
2006072849.tif 000005
【図４】
2006072849.tif 000006
【図５】
2006072849.tif 000007
【図６】
2006072849.tif 000008
【図７】
2006072849.tif 000009
【図８】
2006072849.tif 000010